(57)【要約】【課題】ランキンサイクルの凝縮器において受熱流体を加熱して昇温する一方、蒸発器において与熱流体を冷却して降温する加熱冷却システムにおいて、被動機へ取り出せる仕事量を増加させる。【解決手段】第一ランキンサイクル２と第二ランキンサイクル３とを備える。各ランキンサイクル３，２には、蒸発器１１，５に与熱流体８が順に通され、これとは逆の順序で、凝縮器７，１３に受熱流体９が順に通される。各蒸発器１１，５において、各ランキンサイクル３，２の作動流体が加熱される一方、与熱流体８を冷却して降温する。各凝縮器７，１３において、各ランキンサイクル２，３の作動流体が冷却される一方、受熱流体９を加熱して昇温する。【選択図】図１
2015178789.tif 000002
【特許請求の範囲】
【請求項１】
並列に配置された複数のランキンサイクルを備え、
前記各ランキンサイクルの蒸発器に、与熱流体が順に通され、前記各ランキンサイクルの作動流体が加熱される一方、与熱流体を冷却して降温し、
前記各ランキンサイクルの凝縮器に、前記与熱流体が通される順序とは逆の順序で受熱流体が順に通され、前記各ランキンサイクルの作動流体が冷却される一方、受熱流体を加熱して昇温する
ことを特徴とする加熱冷却システム。
【請求項２】
前記各ランキンサイクルの蒸発器を通過後の前記与熱流体の出口温度（Ｔ２Ｌ）が、前記各ランキンサイクルの凝縮器を通過後の前記受熱流体の出口温度（Ｔ１Ｈ）よりも低い
ことを特徴とする請求項１に記載の加熱冷却システム。
【請求項３】
並列に配置された複数のランキンサイクルは、それぞれ複数段のランキンサイクルから構成され、各最上段の蒸発器に与熱流体が順に通され、これとは逆の順序で、各最下段の凝縮器に受熱流体が順に通される
ことを特徴とする請求項１または請求項２に記載の加熱冷却システム。
【請求項４】
並列に配置された複数のランキンサイクルは、それぞれ二段のランキンサイクルを備え、一方のランキンサイクルの上段ランキンサイクルと、他方のランキンサイクルの下段ランキンサイクルとが、一つのランキンサイクルにまとめられ、
このまとめられたランキンサイクルは、第一凝縮器と第二凝縮器とを備えると共に、第一蒸発器と第二蒸発器とを備え、
前記第一凝縮器は、前記一方のランキンサイクルの下段ランキンサイクルの蒸発器を兼ねており、
前記第一蒸発器は、前記他方のランキンサイクルの上段ランキンサイクルの凝縮器を兼ねており、
前記他方のランキンサイクルの上段ランキンサイクルの蒸発器と、前記第二蒸発器とに与熱流体が順に通され、
前記一方のランキンサイクルの下段ランキンサイクルの凝縮器と、前記第二凝縮器とに受熱流体が順に通される
ことを特徴とする請求項３に記載の加熱冷却システム。
【発明の詳細な説明】
【技術分野】
【０００１】
本発明は、複数のランキンサイクルを用いて、凝縮器において流体を加熱して昇温する一方、蒸発器において流体を冷却して降温する、加熱冷却システムに関するものである。
【背景技術】
【０００２】
従来、下記特許文献１に開示されるように、蒸発器（６）、膨張機（７）、凝縮器（９）および循環ポンプ（１０）を備えたランキンサイクル（２）が知られている。ランキンサイクル（２）の作動流体は、蒸発器（６）において熱源水（５）から吸熱して気化し、膨張機（７）を回転させて被動機としての発電機（３）を駆動し、凝縮器（９）において冷却水（８）に放熱して液化する。そして、作動流体は、再び、循環ポンプ（１０）により、蒸発器（６）へ送られる。
【先行技術文献】
【特許文献】
【０００３】
【特許文献１】特開２０１３−１００９７１号公報
【発明の概要】
【発明が解決しようとする課題】
【０００４】
ランキンサイクルを単独で用いた場合、膨張機において取り出せる仕事量には限界がある。特に、凝縮器においてランキンサイクルの作動流体で加熱される受熱流体を昇温する一方、蒸発器においてランキンサイクルの作動流体を加熱する与熱流体を降温する場合、一つのランキンサイクルを用いただけでは、取り出せる仕事量に限界があった。
【０００５】
そこで、本発明が解決しようとする課題は、凝縮器において受熱流体を加熱して昇温する一方、蒸発器において与熱流体を冷却して降温する加熱冷却システムにおいて、被動機へ取り出せる仕事量を増加させることにある。
【課題を解決するための手段】
【０００６】
本発明は、前記課題を解決するためになされたもので、請求項１に記載の発明は、並列に配置された複数のランキンサイクルを備え、前記各ランキンサイクルの蒸発器に、与熱流体が順に通され、前記各ランキンサイクルの作動流体が加熱される一方、与熱流体を冷却して降温し、前記各ランキンサイクルの凝縮器に、前記与熱流体が通される順序とは逆の順序で受熱流体が順に通され、前記各ランキンサイクルの作動流体が冷却される一方、受熱流体を加熱して昇温することを特徴とする加熱冷却システムである。
【０００７】
請求項１に記載の発明によれば、各ランキンサイクルの蒸発器に、与熱流体が順に通され降温され、各ランキンサイクルの凝縮器に、受熱流体が順に通され昇温される。与熱流体は、下流へ行くに従って降温される一方、受熱流体は、下流へ行くに従って昇温される関係上、与熱流体の上流側高温部（与熱流体の入口温度Ｔ２Ｈ）と、受熱流体の上流側低温部（受熱流体の入口温度Ｔ１Ｌ）との温度差が大きくなるが、並列に配置したランキンサイクルにより、被動機へ取り出せる仕事量を増すことができる。なお、並列に配置とは、直列つまり全体として多段ではないという意味である。
【０００８】
請求項２に記載の発明は、前記各ランキンサイクルの蒸発器を通過後の前記与熱流体の出口温度（Ｔ２Ｌ）が、前記各ランキンサイクルの凝縮器を通過後の前記受熱流体の出口温度（Ｔ１Ｈ）よりも低いことを特徴とする請求項１に記載の加熱冷却システムである。
【０００９】
与熱流体の出口温度（Ｔ２Ｌ）が受熱流体の出口温度（Ｔ１Ｈ）よりも低い場合、従来の単段のランキンサイクルは適用できないが、請求項２に記載の発明によれば、そのような条件にも適用することができる。
【００１０】
請求項３に記載の発明は、並列に配置された複数のランキンサイクルは、それぞれ複数段のランキンサイクルから構成され、各最上段の蒸発器に与熱流体が順に通され、これとは逆の順序で、各最下段の凝縮器に受熱流体が順に通されることを特徴とする請求項１または請求項２に記載の加熱冷却システムである。
【００１１】
請求項３に記載の発明によれば、並列に配置された複数のランキンサイクルを、それぞれ複数段のランキンサイクルで構成することができる。
【００１２】
さらに、請求項４に記載の発明は、並列に配置された複数のランキンサイクルは、それぞれ二段のランキンサイクルを備え、一方のランキンサイクルの上段ランキンサイクルと、他方のランキンサイクルの下段ランキンサイクルとが、一つのランキンサイクルにまとめられ、このまとめられたランキンサイクルは、第一凝縮器と第二凝縮器とを備えると共に、第一蒸発器と第二蒸発器とを備え、前記第一凝縮器は、前記一方のランキンサイクルの下段ランキンサイクルの蒸発器を兼ねており、前記第一蒸発器は、前記他方のランキンサイクルの上段ランキンサイクルの凝縮器を兼ねており、前記他方のランキンサイクルの上段ランキンサイクルの蒸発器と、前記第二蒸発器とに与熱流体が順に通され、前記一方のランキンサイクルの下段ランキンサイクルの凝縮器と、前記第二凝縮器とに受熱流体が順に通されることを特徴とする請求項３に記載の加熱冷却システムである。
【００１３】
請求項４に記載の発明によれば、並列に配置された複数のランキンサイクルについて、一部の段を一つにまとめることで、加熱冷却システム全体の構成を簡略化することができる。
【発明の効果】
【００１４】
本発明によれば、凝縮器において受熱流体を加熱して昇温する一方、蒸発器において与熱流体を冷却して降温する加熱冷却システムにおいて、被動機へ取り出せる仕事量を増加させることができる。
【図面の簡単な説明】
【００１５】
【図１】本発明の加熱冷却システムの一実施例を示す概略図である。
【図２】図１の加熱冷却システムのＴ−Ｓ線図の一例であり、縦軸が温度Ｔ、横軸がエントロピＳを示している。
【図３】図１の加熱冷却システムのＴ−Ｓ線図の他の例であり、縦軸が温度Ｔ、横軸がエントロピＳを示している。
【図４】図１の加熱冷却システムの変形例を示す概略図である。
【図５】図４の加熱冷却システムのＴ−Ｓ線図の一例であり、縦軸が温度Ｔ、横軸がエントロピＳを示している。
【発明を実施するための形態】
【００１６】
以下、本発明の具体的実施例を図面に基づいて詳細に説明する。
図１は、本発明の加熱冷却システム１の一実施例を示す概略図である。また、図２および図３は、本実施例の加熱冷却システム１のＴ−Ｓ線図の一例と他の例であり、縦軸が温度Ｔ、横軸がエントロピＳを示している。
【００１７】
本実施例の加熱冷却システム１は、第一ランキンサイクル２と第二ランキンサイクル３とを備える。
【００１８】
第一ランキンサイクル２は、本実施例では単段のランキンサイクルから構成される。具体的には、第一ランキンサイクル２は、給水ポンプ４、蒸発器５、膨張機６および凝縮器７が順次環状に接続されて構成され、この回路内には作動流体が相変化を伴って循環される。なお、作動流体は、たとえば水または冷媒である。
【００１９】
給水ポンプ４は、凝縮器７にて液化した作動流体を、蒸発器５へ供給する。
【００２０】
蒸発器５は、作動流体を与熱流体で加熱して気化する。つまり、蒸発器５は、作動流体と与熱流体との間接熱交換器であり、与熱流体の熱で作動流体を加熱して蒸気とする。この際、与熱流体は、作動流体により冷却されて降温する。なお、図１において、流路８に、与熱流体が通される。
【００２１】
膨張機６は、蒸発器５にて気化した作動流体が通され、作動流体の圧力と温度を低下させる。膨張機６は、特に問わないが、たとえば、タービン、スクリュ式膨張機またはスクロール式膨張機である。膨張機６は、典型的には、蒸発器５からの作動流体で回転され、被動機（図示省略）を稼働させる。被動機は、特に問わないが、典型的には発電機または圧縮機（たとえば空気圧縮機）である。
【００２２】
凝縮器７は、作動流体を受熱流体で冷却して液化する。つまり、凝縮器７は、作動流体と受熱流体との間接熱交換器であり、作動流体を受熱流体で冷却して凝縮させる。この際、受熱流体は、作動流体により加熱されて昇温する。なお、図１において、流路９に、受熱流体が通される。
【００２３】
蒸発器５において作動流体を加熱する与熱流体は、作動流体で冷却され降温される。つまり、与熱流体は、蒸発器５において顕熱を放出する。たとえば、与熱流体は排温水であり、蒸発器５において作動流体により冷却され、排水される。
【００２４】
凝縮器７において作動流体で加熱される受熱流体は、作動流体で加熱され昇温される。つまり、受熱流体は、凝縮器７において顕熱を取得する。たとえば、受熱流体は水であり、凝縮器７において作動流体により加熱され、温水として導出される。
【００２５】
第二ランキンサイクル３は、本実施例では単段のランキンサイクルから構成される。具体的には、第二ランキンサイクル３は、給水ポンプ１０、蒸発器１１、膨張機１２および凝縮器１３が順次環状に接続されて構成され、この回路内には作動流体が相変化を伴って循環される。第二ランキンサイクル３を構成する給水ポンプ１０、蒸発器１１、膨張機１２および凝縮器１３は、第一ランキンサイクル２を構成する給水ポンプ４、蒸発器５、膨張機６および凝縮器７と同様であるため、説明を省略する。
【００２６】
各ランキンサイクル２，３の蒸発器５，１１に与熱流体が通される順序と、各ランキンサイクル２，３の凝縮器７，１３に受熱流体が通される順序とは、逆になっている。具体的には、与熱流体は、第二ランキンサイクル３の蒸発器１１に通された後、第一ランキンサイクル２の蒸発器５に通される一方、受熱流体は、第一ランキンサイクル２の凝縮器７に通された後、第二ランキンサイクル３の凝縮器１３に通される。与熱流体は、各ランキンサイクル３，２の蒸発器１１，５を順に通されることで、順次冷却され降温される一方、受熱流体は、各ランキンサイクル２，３の凝縮器７，１３を順に通されることで、順次加熱され昇温される。
【００２７】
なお、第一ランキンサイクル２の膨張機６、および第二ランキンサイクル３の膨張機１２では、たとえば発電機や空気圧縮機などの被動機を稼働させるが、この際、各膨張機６，１２からの動力をまとめて一つの（つまり共通の）被動機を稼働させてもよいし、各膨張機６，１２において被動機を個別に稼働させてもよい。
【００２８】
本実施例の加熱冷却システム１は、図２に示すように、Ｔ−Ｓ線図において、二つの略台形として示される。二つの略台形の内、左側の略台形が第一ランキンサイクル２を示し、右側の略台形が第二ランキンサイクル３を示す。そして、各ランキンサイクル２，３において、作動流体は、ａ１−ｂ１、ａ２−ｂ２間で給水ポンプ４，１０による断熱圧縮、ｂ１−ｂ１´−ｃ１、ｂ２−ｂ２´−ｃ２間で蒸発器５，１１による等圧加熱、ｃ１−ｄ１、ｃ２−ｄ２間で膨張機６，１２による断熱膨張、ｄ１−ａ１、ｄ２−ａ２間で凝縮器７，１３による等圧冷却される。なお、図から明らかなとおり、ここでは、ｃ１＝ａ２の関係にある。さらに、典型的には、Ｓ３＝（Ｓ１＋Ｓ２）／２の関係にある。
【００２９】
また、蒸発器１１，５において作動流体に熱を与える与熱流体をＴ２ＨからＴ２Ｌまで降温し、凝縮器７，１３において作動流体から熱を受ける受熱流体をＴ１ＬからＴ１Ｈまで昇温し、膨張機６，１２において被動機（たとえば発電機）を稼働して仕事を取り出すことができる。
【００３０】
図３のＴ−Ｓ線図に基づき、本発明の加熱冷却システム１のメリットについて説明する。ここでは、蒸発器１１，５において作動流体に熱を与える与熱流体をＴ２ＨからＴ２Ｌまで降温し、凝縮器７，１３において作動流体から熱を受ける受熱流体をＴ１ＬからＴ１Ｈまで昇温し、膨張機６，１２において被動機（たとえば発電機）を稼働して仕事を取り出す場合を考える。
【００３１】
本発明の加熱冷却システム１は、図３に示すように、Ｔ−Ｓ線図において、実線で示される二つの略台形として示される。実線で示される二つの略台形の内、左側の略台形が第一ランキンサイクル２を示し、右側の略台形が第二ランキンサイクル３を示す。一方、二点鎖線で示される略台形は、従来のランキンサイクルを示す。
【００３２】
二点鎖線で示される従来のランキンサイクルは、周知のとおり、理想状態では、作動流体は、ａ−ｂ間で給水ポンプによる断熱圧縮、ｂ−ｂ´−ｃ間で蒸発器による等圧加熱、ｃ−ｄ間で膨張機による断熱膨張、ｄ−ａ間で凝縮器による等圧冷却される。また、受熱流体の状態を示す傾斜線Ｌ１、および与熱流体の状態を示す傾斜線Ｌ２は、物質に応じて定まり既知である。
【００３３】
さて、ランキンサイクルの作動流体は、与熱流体との熱交換で加熱される関係上、与熱流体の温度勾配を示す傾斜線Ｌ２よりも高くはできない。そのため、ランキンサイクルの作動流体の蒸発温度は、理論上、前記傾斜線Ｌ２と接する点が限界である。もちろん、実際には、与熱流体と作動流体との熱交換には所定の温度差が必要であるから、作動流体の蒸発温度は、前記傾斜線Ｌ２よりも低くなる。
【００３４】
一方、膨張機において、断熱熱落差があるほど、仕事量を取り出すことができる。しかし、ランキンサイクルの作動流体は、受熱流体との熱交換で冷却される関係上、受熱流体の温度勾配を示す傾斜線Ｌ１よりも低くはできない。そのため、ランキンサイクルの作動流体の凝縮温度は、理論上、前記傾斜線Ｌ１と接する点が限界である。もちろん、実際には、受熱流体と作動流体との熱交換には所定の温度差が必要であるから、作動流体の凝縮温度は、前記傾斜線Ｌ１よりも高くなる。
【００３５】
また、ランキンサイクルで囲まれた面積は、仕事量であるから、最大限に仕事を引き出すには、Ｔ−Ｓ線図上で可能な限り大きくランキンサイクルを組むのが好適である。このようなことから、従来、二点鎖線で示すように、ランキンサイクルが組まれる。
【００３６】
一方、本実施例のランキンサイクル２，３は、実線で示されるものであるから、二点鎖線で示される従来のランキンサイクルよりも、さらに仕事を取り出すことができる。たとえば、膨張機６，１２で発電機を稼働させる場合、システム全体の発電効率を向上することができる。しかも、従来のランキンサイクルの場合、図３に示すように、与熱流体の出口温度Ｔ２Ｌが、受熱流体の出口温度Ｔ１Ｈよりも高くなければ適用することができない（ランキンサイクルを組めない）が、本発明によれば、図２に示すように、与熱流体の出口温度Ｔ２Ｌが、受熱流体の出口温度Ｔ１Ｈよりも低くても適用することができる。
【００３７】
本発明の加熱冷却システム１は、前記実施例の構成に限らず適宜変更可能である。たとえば、前記実施例において、第一ランキンサイクル２および第二ランキンサイクル３は、それぞれ単段のランキンサイクルから構成したが、場合により、一方または双方を複数段のランキンサイクルから構成してもよい。その場合、隣接する上下のランキンサイクルは、下段（低温側サイクル）の蒸発器を兼ねる上段（高温側サイクル）の凝縮器が、作動流体同士を混ぜることなく熱交換する間接熱交換器であってもよいし、作動流体同士を直接に接触させて熱交換する直接熱交換器であってもよい。また、複数段の場合、最上段の蒸発器において、作動流体と与熱流体とが熱交換され、最下段の凝縮器において、作動流体と受熱流体とが熱交換される。
【００３８】
第一ランキンサイクル２と第二ランキンサイクル３とが、それぞれ複数段のランキンサイクルで構成される場合について説明する。この場合、第一ランキンサイクル２の最下段のランキンサイクルは、第二ランキンサイクル３の最下段のランキンサイクルよりも低温でのサイクルとされる。また、第二ランキンサイクル３の最上段のランキンサイクルは、第一ランキンサイクル２の最上段のランキンサイクルよりも高温でのサイクルとされる。たとえば、第一ランキンサイクル２と第二ランキンサイクル３とが、それぞれ二段のランキンサイクルから構成され、第一ランキンサイクル２の上段ランキンサイクルと、第二ランキンサイクル３の下段ランキンサイクルとは、典型的には、蒸発器における作動流体の温度が同等（同一または設定範囲内）とされ、凝縮器における作動流体の温度が同等（同一または設定範囲内）とされる。いずれにしても、第二ランキンサイクル３の最上段の蒸発器と、第一ランキンサイクル２の最上段の蒸発器とに、与熱流体が順に通され、第一ランキンサイクル２の最下段の凝縮器と、第二ランキンサイクル３の最下段の凝縮器とに、受熱流体が順に通される。なお、後述するように、第二ランキンサイクル３が並列に設置された複数のランキンサイクルから構成される場合において、隣接して配置されるランキンサイクル同士も同様の関係で構成することができる。
【００３９】
また、図２や図３では、受熱流体の温度勾配を示す傾斜線Ｌ１と、与熱流体の温度勾配を示す傾斜線Ｌ２とが平行であったが、必ずしも平行である必要はない。
【００４０】
また、前記実施例において、第二ランキンサイクル３は、並列に設置された複数のランキンサイクルから構成されてもよい。言い換えれば、前記実施例において、第一ランキンサイクル２や第二ランキンサイクル３に加えて、第三ランキンサイクルを設けてもよい他、さらに第四ランキンサイクル、第五ランキンサイクル、…というように、全体としてｎ個（ｎ≧２）のランキンサイクルを並列に設置してもよい。この場合も、このｎ個のランキンサイクルは、各最上段の蒸発器に与熱流体が順に通され、これとは逆の順序で、各最下段の凝縮器に受熱流体が順に通される。そして、各蒸発器において与熱流体を冷却して降温し、各凝縮器において受熱流体を加熱して昇温する。
【００４１】
さらに、前記実施例の変形例として、図４に示す構成とすることもできる。この加熱冷却システム１では、第一ランキンサイクル２と第二ランキンサイクル３とが、それぞれ二段のランキンサイクル２Ａ，２Ｂ、３Ａ，３Ｂから構成され、第一ランキンサイクル２の上段ランキンサイクル２Ｂと、第二ランキンサイクル３の下段ランキンサイクル３Ｂとが、一つのランキンサイクル１４にまとめられている。このまとめられたランキンサイクル１４は、第一凝縮器１５と第二凝縮器１６とを備えると共に、第一蒸発器１７と第二蒸発器１８とを備える。第一凝縮器１５は、第一ランキンサイクル２の下段ランキンサイクル２Ａの蒸発器を兼ねており、第一蒸発器１７は、第二ランキンサイクル３の上段ランキンサイクル３Ａの凝縮器を兼ねている。そして、第二ランキンサイクル３の上段ランキンサイクル３Ａの蒸発器１１Ａと、第二蒸発器１８とに与熱流体が順に通され、第一ランキンサイクル２の下段ランキンサイクル２Ａの凝縮器７Ａと、第二凝縮器１６とに受熱流体が順に通される。この変形例のＴ−Ｓ線図を図５に示すが、右上の略台形と左下の略台形の分だけ、従来の単段のランキンサイクルと比べて仕事を取り出すことができる。その他は、前記実施例やその変形例と同様のため、説明を省略する。
【００４２】
なお、図４において、第一ランキンサイクル２の下段ランキンサイクル２Ａをさらに複数段としてもよい。たとえば、第一ランキンサイクル２の下段ランキンサイクル２Ａを二段として、その内の上段のランキンサイクルは、第一凝縮器と第二凝縮器とを備え、第一凝縮器で下段のランキンサイクルと接続する。そして、受熱流体は、最下段の凝縮器７Ａを通された後、下段から上段へと順次、第二凝縮器に通される。第一ランキンサイクル２の下段ランキンサイクル２Ａを三段以上とする場合も、最下段を除く各段に、第一凝縮器と第二凝縮器とを設ければよい。
【００４３】
同様に、図４において、第二ランキンサイクル３の上段ランキンサイクル３Ａをさらに複数段としてもよい。たとえば、第二ランキンサイクル３の上段ランキンサイクル３Ａを二段とし、その内、下段のランキンサイクルは、第一蒸発器と第二蒸発器とを備え、第一蒸発器で上段のランキンサイクルと接続する。そして、与熱流体は、最上段の蒸発器を通された後、上段から下段へと順次、第二蒸発器に通される。第二ランキンサイクル３の上段ランキンサイクル３Ａを三段以上とする場合も、最上段を除く各段に、第一蒸発器と第二蒸発器とを設ければよい。
【符号の説明】
【００４４】
１  加熱冷却システム
２  第一ランキンサイクル
３  第二ランキンサイクル
４  給水ポンプ
５  蒸発器
６  膨張機
７  凝縮器
８  与熱流体の流路
９  受熱流体の流路
１０  給水ポンプ
１１  蒸発器
１２  膨張機
１３  凝縮器
１４  まとめられたランキンサイクル
１５  第一凝縮器
１６  第二凝縮器
１７  第一蒸発器
１８  第二蒸発器
【図１】
2015178789.tif 000003
【図２】
2015178789.tif 000004
【図３】
2015178789.tif 000005
【図４】
2015178789.tif 000006
【図５】
2015178789.tif 000007